(57)【要約】【課題】    従来、筆記の後、指輪を人差し指にはめたままでは、それ自体が支障になり、道具を手に持つ作業が出来ず、その都度、指から着脱する必要があったり、小型筆記用具の正しい持ち方をするのが困難で、細かい文字や複雑な線は書きづらかったりした欠点を解消した小型筆記用具を提供する。【解決手段】  小型筆記用具と指輪とを樹脂製チューブに螺旋状の切れ目を入れた連結材で連結した構造であり、中指に収納された小型筆記用具を上方に上げた人差し指の下を通すように、親指で手前に引き伸ばして、親指、人差し指と中指の３本の指で持つ、本来の正しい持ち方で細かい筆記が出来、筆記が終われば指を離すだけで連結材の弾性力で自動的に中指の元の位置に巻き戻されるので、作業の間、指から外すことなく、指に収納したまま、どんな手作業でも出来る小型筆記用具を特徴とする。【選択図】図１
2015024641.tif 000002
【特許請求の範囲】
【請求項１】
小型筆記用具と、それを巻き込むような形態の螺旋状樹脂製チューブで出来た連結材と中指にはめた指輪とが連結された、指に載る長さの小型筆記用具であって、上方に上げた人差し指の下を通すように小型筆記用具と連結材を一緒に、親指で手前に連結材を開くように引き伸ばしながら、連結材の下端側で連結された小型筆記用具を正しい持ち方で筆記が出来る位置まで引き出し、細かい文字や複雑な線を書いたり出来、筆記が終われば、指を離すだけで連結材の有する弾性力で自動的に中指の元の収納位置に巻き戻され、その後は、そのまま手に道具を持ってするどんな作業でも、その間、小型筆記用具を指から脱着せずに出来る小型筆記用具。
【発明の詳細な説明】
【技術分野】
【０００１】  本発明は、鉛筆、ボールペン、シャープペンシル、油性ペンや液晶画面用のタッチペンを含む筆記用具を指の上に載るように短くした小型筆記用具を、指に収納したまま、どんな手作業でも出来る小型筆記用具に関するものである。
【背景技術】
【０００２】  従来の指につける小型筆記用具関連の発明である「小型筆記用具付指輪」は小型筆記用具、それを差し込む輪、人差し指にはめる指輪と２個の輪を繋ぐ接続部とで構成されている。【０００３】  上記の小型筆記用具による筆記が終わり、別の手作業でハンマー等の道具類を手に持つ時は５本の指の内、親指と人差し指で掴むようにして持つことが多く、その場合は人差し指にはめたままでは、それ自体が支障になり、道具を手に持つ作業をすることは不可能であった。【０００４】  よって、その都度、小型筆記用具を外さなければならなかった。特に現場で働く人達は、筆記と各種機器類の操作や、道具を手に持ってする作業とを交互にすることも多く、指からの脱着が何回も必要となる作業効率上の欠点があった。【０００５】  また、従来の発明は指輪を人差し指にはめる形態のため、小型筆記用具を持つ際の指の運動機能上の制限が生じて、本来の正しい持ち方で筆記用具を持つことが難しく、細かい文字や複雑な線を書いたりすることは不可能な状態といった欠点があった。【０００６】  なお、本願発明に関連する公知技術として次の特許文献１を挙げる事が出来る。
【先行技術文献】
【０００７】
【特許文献１】  公開番号  ２００８２４７０１７
【発明の概要】
【発明が解決しようとする課題】
【０００８】  上述の如く、従来技術に係る、指につける小型筆記用具は、指輪を人差し指につける形態であるがゆえに、筆記が終わり、道具を手に持つ別の手作業にかかるにも小型筆記用具が支障になり、小型筆記用具を指につけたままでは、道具を持つことが出来なく、それゆえに、その都度、指輪を脱着する煩わしさと、作業効率の悪さがあった。また、人差し指にはめた指輪に小型筆記用具を繋いだ形態であるがために、指の運動機能上の制限が生じ、チェックや簡単な線は書けても、細かい字や複雑な線を書けないという欠点があった。【０００９】  本発明は、このような点に鑑みて成されたものであり、その目的は上記の欠点を解消し、小型筆記用具を指に収納したまま、どんな手作業でも出来、手作業の間、指から脱着することなく、かつ、細かい文字や複雑な線を書くことが出来るようにすることである。
【課題を解決するための手段】
【００１０】  上述の課題については、連結部に樹脂製チューブに螺旋状の切れ目を入れた、弾性力のある連結材を使用することで、筆記用具から指を離すだけで小型筆記用具が自動的に中指の元の位置に巻き戻るようにすることにより、従来の、筆記と手に道具を持ってする作業との交互作業の度に、小型筆記用具を指から脱着する必要がなくなり、かつ、手作業で道具を持つ手の５本指の中で最も重要な役割をする親指と人差し指の間に、支障物が無いので、小型筆記用具を指につけたままで、筆記とハンマーを手に持って物を打つ作業などが交互に出来るようにする。【００１１】  また、指に収納したまま、どんな手作業でも出来る小型筆記用具は、それを螺旋状に巻き込むような形態の螺旋状チューブ製の連結材で、指輪と連結されており、小型筆記用具を上方に上げた人差し指の下を通すように、親指で手前に引く様に引き伸ばしながら、同時に連結材の下端部で連結されている小型筆記用具を正しい持ち方が出来る位置まで引き出して親指、人差し指、中指の３本で小型筆記用具を正しく持って、細かい文字や複雑な線を書くことが出来るようにする。【００１２】  本発明は、以上のような従来の欠点に鑑みてなされたものであり、その目的は筆記が終わり、別の手作業をする時に小型筆記用具が支障になる場面では、その都度、指から脱着しなければならない非効率的な作業を伴い、従来の発明は筆記用具を繋ぐ指輪を小指にはめるため、運動機能上の制限が生じ、正しい持ち方で筆記用具を持つことが難しく、細かい文字や複雑な線を書いたりするのが困難という欠点があった。それらの欠点を解消し、また、小型筆記用具を指に収納したまま、どんな手作業でも出来る小型筆記用具は、これまでに無く、作業の間、脱着することなく、指に収納したままで、筆記と交互に手作業でも出来る小型筆記用具を発明することにある。
【発明の効果】
【００１３】  以上の説明から明らかなように、本発明によれば、小型筆記用具と指輪との連結材に、弾性力がある螺旋状の切れ目を入れた樹脂製チューブを使用することにより、小型筆記用具を指につけたままで、筆記とハンマーを手に持って物を打つ作業などが交互に出来、細かい字や複雑な線も書け、かつ、指につけたまま、作業の間、脱着する必要がないという小型筆記用具はこれまでになく、特に現場で種々の作業をしながら筆記する人達、機器類の操作をしながら筆記する人達や事務所の中でパソコンを操作しながら筆記する人達には作業の間、いつも中指の上に収納したまま、便利に使えて作業の効率化に繋がる。
【図面の簡単な説明】
【００１４】
【図１】  本発明の小型筆記用具で筆記している状態の正面図である。
【図２】  本発明の図１の右側面図である。
【図３】  本発明の小型筆記用具を中指に収納している状態の正面図である。
【発明を実施するための形態】
【００１５】  以下、本発明の実施の形態を図面に基づいて詳細に説明する。
【実施例１】
【００１６】（イ）図１は本発明の実施例１の小型筆記用具（１）を中指（４）の上に納まっている位置から正しい持ち方が出来る位置まで親指（６）で引き出して中指（４）で支えるように親指（６）と人差し指（５）の３本の指で持ち、筆記している状態を表す正面図である。
小型筆記用具（１）は、鉛筆、ボールペン、シャープペンシル、油性ペン、液晶画面用のタッチペンその他の種類の筆記用具を指の上に載るように短くしたもので、指輪（３）と連結材（２）で連結された構造である。小型筆記用具（１）の長さは中指（４）から引き伸ばす時に、人差し指（５）の下を通し易く、なおかつ筆記用具の上端部が、小指にかかった状態で正しく筆記出来るように、長さは持つ人の手指の大きさに関係するので、子供用では概ね、６０ｍｍ±１０ｍｍ、大人用では９０ｍｍ±１５ｍｍ程度である。連結材（２）は弾性力を有する樹脂製チューブに右利き用には右上から左下に向けて、左利き用に左上から右下に向けて螺旋状に、切れ目を入れたものであり、立体状の連結材（２）を展開すると平面に近い平行四辺形の内、両端の連結部の鋭角部の先端を切り落した形状である。指輪は中指（４）の第２関節と第３関節の境目近くまで押し込んではめる、幅１５ｍｍ前後の指輪（３）で金属、樹脂または皮製である。なお、小型筆記用具（１）と連結材（２）との連結方法並びに指輪（３）と連結材（２）との連結部との連結方法については、下記の方法が考えられる。
（Ａ）各部材の一方に凸状、他方には凹状の加工を施して、挿し込んで連結する方法
（Ｂ）接着剤で接着して連結する方法
（ロ）図３は、図１の右側面図であり、本発明の実施例１の小型筆記用具（１）を中指（４）で支えるように親指（６）と人差し指（５）の３本の指での正しい持ち方で筆記中の状態を表すものである。なお、図２の収納状態から図１、図３の筆記状態への切り替えは次の手順による。
（ａ）中指（４）の上に納まっている小型筆記用具（１）とそれを巻き包むような形態の連結材（２）を上方に開いた人差し指の下（５）を通すように螺旋状樹脂製チューブで出来た連結材（２）とを一緒に親指（６）で連結材を開くように、手前側に引き伸ばす。
（ｂ）連結材（２）のほぼ全部が巻き戻されるように開いた状態で連結材（２）の下端で連結された小型筆記用具（１）を引き出し、人差し指（５）の下を越したら、中指（４）で支えるように、親指（６）と人差し指（５）の３本の指で小型筆記用具（１）を正しく持って完了。
（ハ）図２は本発明の実施例１の小型筆記用具が中指（４）の上に納まっている状態を表す正面図である。
【産業上の利用可能性】
【００１７】  本発明は、指に収納したまま、どんな手作業でも出来る小型筆記用具を製造、販売する産業分野で利用することが出来る。
【符号の説明】
【００１８】      １  小型筆記用具
２  連結材
３  指輪
４  中指
５  人差し指
６  親指
【図１】
2015024641.tif 000003
【図２】
2015024641.tif 000004
【図３】
2015024641.tif 000005